(57)【要約】 【課題】  ランプの汚れによる見掛上の照度の低下を防止し、装置を高価にしない。【解決手段】  ＣＰＵ１２１はその動作クロックＣＫをカウントしてランプの交換時点から現在までの経過時間を計時してＥ2 ＰＲＯＭ１２６に保存する。ＣＰＵ１２１は保存された経過時間とＲＯＭ１２３内の補正データを照合して、経過時間が所定時間経つ毎に調光レベルに補正値を加算して作成した調光制御信号を調光信号出力インタフェース１２７から調光制御部１１ａに出力して、ランプの照度を経過時間と共に上昇させる。ＣＰＵ１２１は経過時間がランプの交換時間になると調光レベルを初期値に戻してランプの照度を低下させてランプの交換時期を報知する。表示操作部１２５のリセットボタン１２５３の操作により、ＣＰＵ１２１は経過時間を初期値０時間に戻すと共に、ランプの調光レベルを初期調光レベルに戻す。【選択図】  図７
2005222960.tif 000002
【特許請求の範囲】
【請求項１】
ランプへ供給する電力を調整してこのランプの照度を変化させる調光制御部と；
調光制御部の調光特性を決める調光制御信号を作成する調光制御信号作成手段と；
調光制御信号作成手段の動作クロックを用いてランプを交換してから現在までの経過時間を計時する計時手段と；
計時手段によって計時された経過時間が所定の時間になる毎に調光制御信号作成手段によって作成される調光制御信号が指定するランプの照度を決定する調光レベルを所定の補正値だけ増加させる制御を行う照度補正手段と；
設定の入力を行うための第１の手動操作部と；
第１の手動操作部の操作を受けて、調光制御信号作成手段によって作成される調光制御信号が指定するランプの調光レベルの初期値を設定する初期値設定手段と；
を具備したことを特徴とする照明制御装置。
【請求項２】
第１の手動操作部は、初期照度レベルを表示するレベル表示部を備えていることを特徴とする請求項１に記載の照明制御装置。
【請求項３】
計時手段が計時した経過時間がランプの交換時間に到達したことを検出すると、計時手段が計時した経過時間を初期化することにより照度補正手段によるランプの照度を決定する調光レベルを増加させる制御を初期化して、この調光レベルを初期調光レベルに戻す制御を行う交換時期報知手段を具備したことを特徴とする請求項１記載の照明制御装置。
【請求項４】
計時手段が計時した経過時間を不揮発性メモリに保存するようにし、且つ照度補正手段はこの不揮発性メモリの保存経過時間を監視して、ランプの照度を決定する調光レベルを所定の補正値だけ増加させる制御を行うことを特徴とする請求項１記載の照明制御装置。
【請求項５】
第２の手動操作部を具備し、且つ第２の手動操作部の操作を受けて、計時手段によって計時された経過時間を計時手段の計時とは別に所定時間増加させる制御を行う計時時間増加手段を具備したことを特徴とする請求項１記載の照明制御装置。
【請求項６】
第３の手動操作部を具備し、且つ第３の手動操作部の操作を受けて、照度補正手段がランプの調光レベルを増加させる割合を示す補正値を設定する補正値設定手段を具備したことを特徴とする請求項１記載の照明制御装置。
【請求項７】
請求項１乃至６いずれか１項に記載の照明制御装置と；
この照明制御装置により大きさが調整される電力を供給する電源と；
この照明制御装置から出力される電力により点灯する少なくとも１個以上のランプとを具備したことを特徴とする照明装置。
【発明の詳細な説明】
【技術分野】
【０００１】
本発明はランプ負荷を調光制御する機能を備えた照明制御装置及びこの照明制御装置を用いた照明装置に係わり、特にランプの汚れが起因する照度の変化を少なくする制御に関する。
【背景技術】
【０００２】
従来からランプ負荷を調光制御する機能を備えた照明制御装置の中には、ランプを長年使用することによって汚れが付着することにより、その見掛上の照度が下がってくるため、前記汚れに応じてランプの調光制御時に補正を加えて、ランプの照度を上げて見掛けの照度の低下を防止し、長期間に亙り前記見掛けの照度を一定に保つ制御を行うものがある。これには、新品のランプを取り替えてからその経過時間を計時し、この経過時間が所定時間が経つ毎に前記ランプの照度を段階的に上げて前記見掛上の照度を一定に保っている。
【０００３】
ところで、上記のような制御を行うには、ランプを新品に交換してからその経過時間を計時しなければならないが、従来はこれをタイムスケジュール等で用いるリアルタイムクロックを用いて計時していた。しかし、上記したランプの汚れ具合を計るための前記経過時間の計時にはそれほど精度を必要としないにも拘らず、高価なリアルタイムクロックを用いているため、上記したランプが汚れてもその見掛上の照度を一定に保つ制御機能を備えた装置が高価になってしまうという不具合があった。
【０００４】
又、上記のような従来の照明制御装置で、ランプに付着した汚れによりその見掛上の照度が低下するのを防いで、見掛上の照度をほぼ一定に保つ制御をしても、ランプの寿命が来れば、ランプを交換しなければならない。しかし、従来この種の照明制御装置にはランプの交換時期を知らせる機能がなく、管理者がその時機を見計らってランプの交換を行うと共に、ランプの交換を行った直後にランプが汚れてもその見掛け上の照度を一定にする制御を新たに行うための装置の初期化を行わなければならず、このため、管理者に負担が掛かると共に、ランプの交換時期を逸して、球切れなどを起こしてしまう等という不具合があった。
【０００５】
又、上記した従来の照明制御装置では、前記ランプを交換した直後の初期照度を管理者により任意に設定したり、前記ランプの汚れに応じて前記ランプの照度を上昇させる割合を前記管理者により任意に設定することができなかった。更に、ランプが汚れても見掛上の照度をほぼ一定する制御の動作状態を前記管理者により確認する手立てがなかった。
【発明の開示】
【発明が解決しようとする課題】
【０００６】
上記のように従来の照明制御装置において、ランプの汚れによる見掛上の照度の低下が起こらないように、ランプを新品に交換してからの経過時間が所定時間経つ毎に、前記ランプの調光制御時に補正を加えて前記ランプの照度を上げる制御を行うが、前記経過時間を計時するのに、高価なリアルタイムクロックを用いているため、装置が高価になってしまうという不具合があった。又、従来この種の照明制御装置にはランプの交換時期を知らせる機能がなく、管理者がランプの交換時期を見計らってランプの交換を行うと共に、ランプの交換を行った直後にランプが汚れてもランプの見掛け上の照度を一定にする制御を新たに行うための装置の初期化を行わなければならず、このため、管理者に負担が掛かると共に、ランプの交換時期を逸して、球切れなどを起こしてしまう等という不具合があった。
【０００７】
又、前記従来の照明制御装置では、前記ランプを交換した直後の初期照度を管理者により任意に設定したり、前記ランプの汚れに応じて前記ランプの照度を上昇させる割合を前記管理者により任意に設定することができなかった。更に、ランプが汚れても見掛上の照度をほぼ一定する制御の動作状態を前記管理者により確認する手立てがなかった。更に、上記した従来の照明制御装置を用いて電源からのランプへの電力の供給量を調整してランプを点灯させる従来の照明装置においても、従来の照明制御装置が持っているのと同様の解決すべき課題があった。
【０００８】
そこで本発明は上記のような課題を解決するためになされたもので、装置を高価にすることなくランプの汚れによる見掛上の照度の低下を防止して見掛上の照度をほぼ一定に保持することができると共に、ランプの交換時期を装置を高価にすることなく報知でき、且つその時の装置の初期化も自動的に行うことができ、又、前記ランプ交換時の初期照度や前記ランプの照度を上げる割合を容易に設定できると共に前記ランプが汚れても見掛上の照度を一定に保持する制御の動作状態を容易に確認することができる照明制御装置及びこの照明制御装置を用いた照明装置を提供することを目的としている。
【課題を解決するための手段】
【０００９】
請求項１の発明は、ランプへ供給する電力を調整してこのランプの照度を変化させる調光制御部と；
調光制御部の調光特性を決める調光制御信号を作成する調光制御信号作成手段と；
調光制御信号作成手段の動作クロックを用いてランプを交換してから現在までの経過時間を計時する計時手段と；
計時手段によって計時された経過時間が所定の時間になる毎に調光制御信号作成手段によって作成される調光制御信号が指定するランプの照度を決定する調光レベルを所定の補正値だけ増加させる制御を行う照度補正手段と；
設定の入力を行うための第１の手動操作部と；
第１の手動操作部の操作を受けて、調光制御信号作成手段によって作成される調光制御信号が指定するランプの調光レベルの初期値を設定する初期値設定手段と；
を具備したことを特徴とする。
【００１０】
請求項２の発明では、第１の手動操作部は、初期照度レベルを表示するレベル表示部を備えていることを特徴とする。
【００１１】
請求項３の発明は、計時手段が計時した経過時間がランプの交換時間に到達したことを検出すると、計時手段が計時した経過時間を初期化することにより照度補正手段によるランプの照度を決定する調光レベルを増加させる制御を初期化して、この調光レベルを初期調光レベルに戻す制御を行う交換時期報知手段を具備したことを特徴とする。
【００１２】
請求項４の発明は、計時手段が計時した経過時間を不揮発性メモリに保存するようにし、且つ照度補正手段はこの不揮発性メモリの保存経過時間を監視して、ランプの照度を決定する調光レベルを所定の補正値だけ増加させる制御を行うことを特徴とする。
【００１３】
請求項５の発明は、第２の手動操作部を具備し、且つ第２の手動操作部の操作を受けて、計時手段によって計時された経過時間を計時手段の計時とは別に所定時間増加させる制御を行う計時時間増加手段を具備したことを特徴とする。
【００１４】
請求項６の発明は、第３の手動操作部を具備し、且つ第３の手動操作部の操作を受けて、照度補正手段がランプの調光レベルを増加させる割合を示す補正値を設定する補正値設定手段を具備したことを特徴とする。
【００１５】
請求項７の発明は、請求項１乃至６いずれか１項に記載の照明制御装置と；この照明制御装置により大きさが調整される電力を供給する電源と；この照明制御装置から出力される電力により点灯する少なくとも１個以上のランプとを具備している。
【発明の効果】
【００１６】
以上記述した如く請求項１記載の発明によれば、リアルタイムクロックを用いないで、ランプの汚れによる見掛上の照度の低下を防止して見掛上の照度をほぼ一定に保持することができるため、装置を高価にすることなくこのような効果を実現することができる。また、ランプの汚れによる見掛上の照度の低下を防止して見掛上の照度をほぼ一定に保持する際のランプを交換した直後の初期照度を管理者の手動操作により設定でき、ランプの使用状態により保持する見掛上の照度を任意に変化させることができる。
請求項３記載の発明によれば、ランプの汚れによる見掛上の照度の低下を防止する制御を初期化してランプの照度を低下させることにより、ランプの交換時期を管理者に知らせることができるため、管理者の負担を軽減することができる。
請求項４記載の発明によれば、停電発生時にもランプの汚れによる見掛上の照度の低下を防止して見掛上の照度をほぼ一定に保持する制御を支障なく継続することができる。
請求項５記載の発明によれば、管理者の手動操作により、ランプの汚れによる見掛上の照度の低下を防止して見掛上の照度をほぼ一定に保持する制御の動作状態を容易に確認することができる。
請求項６記載の発明によれば、ランプが汚れるにつれてランプの照度を上げる割合を決定する補正値を管理者の手動操作により任意の値に設定でき、ランプの使用状況により見掛上の照度をより適切に保持することができる。
請求項７記載の発明によれば、装置を高価にすることなくランプの汚れによる見掛上の照度の低下を防止することができ、又、ランプの交換時期を管理者に報知することができると共に、ランプ交換時の制御の初期化を自動的に行うことができるため、管理者の負担を軽減することができ、更に停電発生時にも見掛上の照度を一定に保持する制御を継続でき、しかも、見掛上の照度を一定に保持する制御の動作状態を容易に確認することができ、ランプ交換直後の初期照度を任意に設定できると共に、ランプの照度を上げる割合を任意に設定できるので、その使い勝手を著しく向上させることができる。
【発明を実施するための最良の形態】
【００１７】
装置を高価にすることなくランプの汚れによる見掛上の照度の低下を防止するという目的を、調光制御部の調光特性を決める調光制御信号を作成する調光制御信号作成手段の動作クロックを用いてランプを交換してから現在までの経過時間を計時すると共に所定時間毎に調光レベルを所定の補正値だけ増加させ、設定の入力を行うための第１の手動操作部による操作を受けて、ランプの調光レベルの初期値を設定することで実現したものである。
【実施例１】
【００１８】
以下、本発明の実施の形態を図面を参照して説明する。図１は本発明の照明制御装置を用いた本発明の照明装置の第１の実施の形態を示したブロック図である。１は制御された電力を伝送線３を介して点灯回路４ａ〜４ｃに送ることにより複数のランプ３の点灯、消灯及び調光を集中的に行う照明制御装置、２は照明制御装置１を介してランプ５ａ〜５ｃを点灯させる電力を供給する電源、３ａ〜３ｃは照明制御装置１から点灯回路４ａ〜４ｃへ前記電力を伝送する伝送線、４ａ〜４ｃは伝送線３により伝送された電力を用いてランプ５ａ〜５ｃを点灯させる点灯回路、５ａ〜５ｃは点灯回路４ａ〜４ｃに取り付けてあるランプである。
【００１９】
ここで、照明制御装置１はランプ５ａを調光制御する窓側調光制御部１１ａ、ランプ５ｂを調光制御する中央調光制御部１１ｂ、ランプ５ｃを調光制御する壁側調光制御部１１ｃと、調光制御部１１ａ〜１１ｃの調光特性等を制御する調光制御信号を発生する調光信号制御部１２を有し、調光制御部１１ａ〜１１ｃは調光制御盤１３に収容されている。
【００２０】
図２は図１に示した調光信号制御部１２の詳細構成例を示したブロック図である。１２１は調光制御部１１ａ〜１１ｃの調光制御特性を指定する調光制御信号を作成するＣＰＵ、１２２はＣＰＵ１２１の動作クロックＣＫを発生する発信回路、１２３はＣＰＵ１２１を制御するプログラムや後述する照度補正テーブルを格納しているＲＯＭ、１２３はＣＰＵ１２１の動作に必要なデータを記憶するＲＡＭ、１２５は調光信号制御部１１ａ〜１１ｃへの各種設定や動作指示の入力を管理者が行うと共に、調光信号制御に関わる各種情報を表示する表示操作部、１２６は時間情報等を保存するＥ2 ＰＲＯＭ、１２７はＣＰＵ１２１により作成された調光制御信号を調光制御部１１ａ〜１１ｃに出力する調光信号出力インタフェースである。ここで、調光制御信号作成手段、計時手段、照度補正手段、交換時期報知手段は前記ＲＯＭ１２３内に格納されているプログラムで構成されている。
【００２１】
次に本実施の形態の動作について説明する。照明制御装置１の例えば窓側調光制御部１１ａは調光信号制御部１２から出力される調光制御信号に従って内蔵のサイリスタ等により電源３から供給される電流の流通角を調整して、その出力電力の大きさ調整し、この大きさを調整した電力を伝送線３を介して点灯回路４ａに出力する。点灯回路４ａは入力される電力を用いてランプ５ａを点灯する。これにより、窓側調光制御部１１によって電源３から点灯回路４ａへ供給される電力の大きさが調整され、この電力の大きさに応じた照度でランプ５ａが点灯するため、ランプ５ａの調光が行われる。他の中央、壁側調光制御部の動作も同様である。
【００２２】
ところで、照明負荷を構成するランプ５ａ〜５ｃは新品を取り付けてから時間が経つに連れてその表面が汚れ、見掛け上の照度が落ちてくる。そこで、調光信号制御部４はこのようなランプ５ａ〜５ｃの汚れによる見掛け上の照度低下を補正して、ランプの使用期間中、見掛け上の照度をほぼ一定に保つような制御を行っている。
【００２３】
次に上記した調光信号制御部１２によるランプ５ａ〜５ｃの汚れによる見掛け上の照度の低下を防止して見掛上の照度を一定に保つ制御について図２を参照して説明する。まず、ＣＰＵ１２１は図５に示したフローチャートに従った動作を行うことにより、この例では一日の経過時間を計時する。まず、ステップ５０１にて発信回路１２２から供給されるクロックＣＫを１秒毎にカウントし、そのカウント値が１秒増加するとステップ５０２に進み、総カウント値が８６４００秒（１日）になったかどうかを判定し、なっていない場合はこの割込処理を終了する。ステップ５０２にて８６４００秒になった場合、ステップ５０３に進んで、Ｅ2 ＰＲＯＭ１２６に保存されている時間に１日分の時間を加算して処理を終了する。ＣＰＵ１２１は図５に示したような時間カウント動作を割り込みで繰り返し行って、Ｅ2 ＰＲＯＭ１２６に１日単位の経過時間を保存する。尚、ランプ５ａ〜５ｃを新品に交換した時、Ｅ2 ＰＲＯＭ１２６はクリアされるため、Ｅ2 ＰＲＯＭ１２６には、ランプ５ａ〜５ｃを新品に交換した時からの現在までの経過時間が保存されることになる。
【００２４】
又、ＣＰＵ１２１は図６に示したフローチャートに従った処理を少なくとも１日１回は行う。即ち、ＣＰＵ１２１はステップ６０１にてＥ2 ＰＲＯＭ１２６に保存されているランプ５ａ〜５ｃを新品に交換してからの経過時間を読み出して、ＲＯＭ１２３に格納されている図４に示すような照度補正テーブルの経過時間範囲と照合して、Ｅ2 ＰＲＯＭ１２６に保存されている経過時間がこの照度補正テーブルの経過時間範囲ステップを更新したかどうかを判定し、更新しない場合はステップ６０４に進んで従来通りの調光制御信号を調光制御部１１ａ〜１１ｃに出力する。一方、Ｅ2 ＰＲＯＭ１２６に保存されている経過時間がＲＯＭ１２３に格納されている照度補正テーブルの経過時間範囲ステップのいずれかを更新した場合、ステップ６０２に進んで、更新した時間がランプの交換時間に該当するかどうかを判定し、該当する場合はステップ６０６に進み、該当しない場合はステップ６０３へ進む。
【００２５】
ステップ６０３へ進んだ場合、ＣＰＵ１２１はＲＯＭ１２３に格納されている前記照度補正テーブルで前記更新したステップの経過時間範囲に対応する補正値を読み出した後、ステップ６０４へ進む。ステップ６０４にて、ＣＰＵ１２１は調光制御部１１ａ〜１１ｃの調光特性の調光レベルに前記読み出した補正値を加算した調光レベルを指定する調光制御信号を作成し、ステップ６０５にてこの調光制御信号を調光信号出力インタフェース１２７から調光制御部１１ａ〜１１ｃに出力する。これにより、調光制御部１１ａ〜１１ｃは各負荷のランプ５ａ〜５ｃと前記補正値分だけその照度が高くなるような制御信号を発生して、各端末４ａ〜４ｃに出力する。これにより、ランプ５ａ〜５ｃの照度が上がるため、汚れにより低下した見掛けの照度の低下がほぼ元のレベルに回復して、見掛けの照度をほぼ一定とする。
【００２６】
一方、ステップ６０２にて、ランプの交換時間が来たことが分かると、前述したようにＣＰＵ１２１はステップ６０６へ進み、Ｅ2 ＰＲＯＭ１２６に保存されているランプ５ａ〜５ｃの経過時間をクリアして、ステップ６０７へ進む。ＣＰＵ１２１はステップ６０７にて、上記した調光制御信号を作成する際の調光レベルを、補正値を加えていない初期値に戻す初期化をした後、ステップ６０５へ進む。従って、ステップ６０７からステップ６０５へ進んだ場合、調光信号出力インタフェース１２７は初期化された調光レベルを指定する調光制御信号を調光制御部１１ａ〜１１ｃに出力する。このため、調光制御部１１ａ〜１１ｃは前記調光制御信号が初期化された分、点灯回路４ａ〜４ｃに送る電力を絞るため、ランプ５ａ〜５ｃの照度が低下して、暗くなる。これにより、管理者にランプ５ａ〜５ｃの交換時期が来たことが報知される。
【００２７】
図３は、上記した調光信号制御部１２によるランプ５ａ〜５ｃの汚れによる見掛け上の照度低下を防止する制御動作による例えばランプ５ａの照度の時間変化を示したグラフである。この例では、ランプ５ａを交換した時の照度は、調光信号制御部１２により８０％に指定されている。その後ｔ１時間経過すると、調光信号制御部１２によりランプ５ａの照度が８５％になるように指定されるため、その前の期間よりもランプ５ａの照度は５％上がることになる。しかし、この間ランプ５ａが汚れて見掛け上の照度が低下しているため、上記したように照度を５％上げることにより、見掛け上の照度はランプを交換した直後程度の照度に回復する。以下同様でｔ２時間経過すると照度は９０％。ｔ３時間経過すると照度は９５％に上げられて、ランプ５ａの汚れによる見掛け上の照度の低下を防止して、ランプが使用されている期間ほぼ一定の見掛け上の照度が保持されるような制御が行われる。
【００２８】
又、ランプ５ａの交換時期が迫っている時には、図３の例ではその照度が９５％まで上がっているため、ランプ５ａの交換時期が来て、ＣＰＵ１２１が調光レベルを初期化すると、ランプ５ａ〜５ｃの照度は８０％まで下がって、その照度が１５％暗くなり、これを感知した管理者はランプ５ａの交換時期が来たことを知る。
【００２９】
本実施の形態によれば、ランプを新品と交換してから経った時間をＣＰＵ１２１の動作クロックＣＫにより計時しているため、高価なリアルタイムクロックを用いることなく、ランプの汚れによる見掛上の照度低下を防止する制御を照明装置を高価にすることなく行うことができる。又、その際、前記動作クロックＣＫにより計時した経過時間をＥ2 ＰＲＯＭ１２６に保存しているため、停電時があっても、前記経過時間を保持することができ、停電回復後にランプの汚れによる照度低下を防止する制御を支障なく継続することができる。
【００３０】
又、本例ではランプ５ａ〜５ｃの交換時期をＣＰＵ１２１が検知し、交換時期が来ると、ランプ５ａ〜５ｃの汚れに対応して上げていたランプの照度を元の初期レベルに戻して、ランプの照度を低下させることにより、ランプ５ａ〜５ｃの交換時期を管理者に報知することができるため、管理者はランプ交換時期をランプの使用時間等を計算して監視する等の作業をしなくて済むようになり、管理者の負担を軽減させることができる。しかも、このランプの交換時間を報知する機能はソフトウェア的に行っていて装置に何等の部品も付加する必要がないため、装置を高価にすることなく行うことができる。
【００３１】
ここで、ＣＰＵ１２１がランプ５ａ〜５ｃの交換時期を検知した場合、表示操作部１２５に別途取り付けられたＬＥＤやブサー等を動作させて、ランプの交換時期を管理者に報知してもよく、上記ランプを暗くする報知方法と併用してもよい。
【００３２】
更に、本例では、前記ＣＰＵ１２１がランプの交換時期を検知すると、ランプの汚れによる見掛け上の照度低下を防止するための制御をＣＰＵ１２１が初期化してしまうため、管理者はランプを交換した後に前記初期化を行う操作をする必要がなくなり、管理者の負担を低減させることができる。
【００３３】
尚、上記実施の形態の調光信号制御部１２ではランプの汚れによる見掛け上の照度低下を防止するための制御を調光制御部１１ａ、１１ｂ、１１ｃを通してランプ５ａ、５ｂ、５ｃの全系統について一括して行ったが、各系統毎にランプを交換してからの経過時間を個別に計時して、各系統毎に前記制御を同様に行うこともできる。
【００３４】
又、図１に示した上記実施の形態の照明装置の構成とは別に、調光制御盤１３内の調光制御部が調光制御信号を伝送線を介して各点灯回路に送ると、各点灯回路はこの調光制御信号に基づいて、別途与えられる点灯用電源の電力の大きさを調整して負荷のランプに送ることにより、調光を行うような構成の照明装置及び照明制御装置に関しても、本発明を適用して同様の効果を得ることができる。尚、各点灯回路４ａ〜４ｃにはアドレスが付けられていて、自己宛のアドレスの調光信号を受け取ることによって、各点灯回路に取り付けられているランプ５ａ〜５ｃを別々に調光制御する構成のものであってもよい。
【実施例２】
【００３５】
図７は本発明の第２の実施の形態を示したブロック図である。本例は照明制御装置の調光信号制御部の構成及び動作が第１の実施の形態と異なるだけのため、調光信号制御部のみを図示してある。図において、１２５は表示操作部を示し、特に制御対象のランプを新品に交換した時から現在までに経過した時間を表示する時間表示部１２５１と経過時間を管理者の操作によって大きくするアップボタン１２５２と同経過時間を初期値に戻すリセットボタン１２５３を有している。他のハード的構成は図２に示した第１の実施例と同様であるため、説明は省略する。尚、計時時間増加手段は図７に示したＲＯＭ１２３内に格納されているプログラムで構成されている。
【００３６】
次に本実施の形態の動作について図８のフローチャートを用いて説明する。まず、管理者は図示されない制御対象のランプを新品に交換した直後に、表示操作部１２５のアップボタン１２５２を押して、本例の前記ランプの汚れによる見掛け上の照度低下を防止する制御が所定通りに動作するかどうかを試す作業を行う。
【００３７】
これを受けてＣＰＵ１２１は上記した表示操作部１２５のリセットボタン１２５３が押されたかどうかをステップ８０１にて監視し、押された場合はステップ８０８へ進み、押されない場合はステップ８０２に進み、表示操作部１２５のアップボタン１２５２が押されたかどうかを判定し、押されない場合はステップ８０７へ進み、押された場合はステップ８０３へ進む。ＣＰＵ１２１はステップ８０３にて、Ｅ2 ＰＲＯＭ１２６に保存されている経過時間に１００時間を加算すると共に、この加算結果を表示操作部１２５の時間表示部１２５１に表示する。
【００３８】
その後、ＣＰＵ１２１はＲＯＭ１２３から調光制御時の補正値を一覧とした図４に示した照度補正テーブルと同様の照度補正テーブルを参照して、前記加算結果の経過時間がこのテーブル内の経過時間範囲のステップを更新したかどうかを判定し、更新しない場合はステップ８０７に進んで、今までと同一の調光制御信号を調光信号出力インタフェース１２７から図示されない調光制御部へ出力した後、ステップ８０１に戻る。一方、前記テーブル内の経過時間範囲のステップを更新した場合はステップ８０５に進んで、ＲＯＭ１２３の前記照度補正テーブルから該当の補正値を読み出し、ステップ８０６へ進んで、現在の調光レベルに読み出した補正値を加えた調光レベルを指定する調光制御信号を作成する。その後、ＣＰＵ１２１はステップ８０７に進んで上記作成した調光制御信号を調光信号出力インタフェース１２７から図示されない調光制御部へ出力した後、ステップ８０１へ戻る。
【００３９】
管理者が表示操作部１２５のアップボタン１２５２を押す度毎に、ステップ８０１〜８０７の処理が繰り返されて、図示されないランプの経過時間が１００時間毎に加算される。この経過時間が増加すると、ＣＰＵ１２１のランプの汚れによる見掛上の照度低下を防止する制御によって、前記ランプの照度補正が必要な時間に到達する度に、図示されないランプの照度が上昇して、ランプの汚れによる見掛けの照度低下を防止する制御が所定通り行われているかどうかを確認することができる。管理者は上記した確認が終了すると、表示操作部１２５のリセットボタン１２５３を押すため、ＣＰＵ１２１はステップ８０１にてこれを検出して、ステップ８０８へ進み、Ｅ2 ＰＲＯＭ１２６に保存されている前記経過時間をクリアして、初期値０時間に戻すと共に、ステップ８０９にて前記ランプの調光レベルも補正値を加えていない初期調光レベルに戻した後、処理を終了する。以降は第１の実施例で説明したのと同様の調光制御及びランプの汚れによる見掛け上の照度低下を防止する制御を行う。
【００４０】
本実施の形態によれば、制御対象のランプを交換した直後に管理者は表示操作部１２５のアップボタン１２５２を押すことにより、Ｅ2 ＰＲＯＭ１２６に保存されている前記ランプの経過時間を加算して、ランプの汚れによる見掛け上の照度低下を防止する制御がうまく動作するかどうかを容易且つ短時間に確認することができる。
【００４１】
尚、本例は通常のランプの汚れによる見掛け上の照度低下を防止する制御時にもＥ2 ＰＲＯＭ１２６内の前記経過時間を表示操作部１２５の時間表示部１２５１に表示して、ランプを交換してから現在までにどれ程の時間が経ったかを管理者に知らせることもできる。
【実施例３】
【００４２】
図９は本発明の第３の実施の形態を示したブロック図である。本例は照明制御装置の調光信号制御部の一部が第１の実施の形態と異なるため、調光信号制御部のみを図示してある。図において、１２５は表示操作部を示し、特に制御対象のランプを新品に交換した時の初期照度のレベルを表示するレベル表示部１２５１、前記レベルをアップするアップボタン１２５２、１２５３、前記レベルをダウンするダウンボタン１２５４、１２５５、設定した初期レベルを装置にセットするセットボタン１２５６及び装置の動作モードを切り替えるモード切替ボタン１２５７及び初期照度設定モードを知らせるＬＥＤ１２５８を有している。又、上記したレベル表示部１２５１は現在設定しているランプの系統を示す系統表示部も付加されている。他のハード的構成は図２に示した第１の実施例と同様であるため、説明は省略する。尚、本例のＲＯＭ１２３には図４に示した照度補正テーブルが格納されておらずこの照度補正テーブルはＥ2 ＰＲＯＭ１２６に保存されている。従って、照度補正テーブル内の上記した補正値はＣＰＵ１２１によって書き換え可能となっている。又、初期値設定手段は図９に示したＲＯＭ１２３内に格納されているプログラムで構成されている。
【００４３】
次に本実施の形態の動作について図１０のフローチャートを参照して説明する。本例では、制御対象のランプを交換した時にその初期照度を管理者が望む値に設定することができる。この場合、管理者は表示操作部１２５の動作モード切替ボタン１２５７を押して、ＣＰＵ１２１を初期照度レベル設定モードにする。これにより、ＣＰＵ１２１はステップ１０１にてモードが初期照度設定モードに切り替わったと判定して、ステップ１０２に進み、表示操作部１２５のＬＥＤ１２５８を点灯した後、ステップ１０３へ進む。管理者は上記したモード切替ボタン１２５７を押して初期照度設定モードにすると、アップボタン１２５２、１２５３及びダウンボタン１２５４、１２５５を押して前記ランプの初期照度を設定する。尚、初期照度として最初から最も標準の値がＥ2 ＰＲＯＭ１２６に格納されているため、管理者はこの標準の照度値に数値を加減算する操作を行って望んでいる初期照度を設定するもとする。
【００４４】
ＣＰＵ１２１はこのような管理者の操作を受けて、ステップ１０３にてアップボタン１２５２が押されたかどうかを判定し、押された場合はステップ１０４に進んで、Ｅ2 ＰＲＯＭ１２６に保存されている初期調光レベルを＋１した後、ステップ１１１に進む。ステップ１０３にてアップボタン１２５２が押されていない場合は、ステップ１０５に進む。ＣＰＵ１２１はステップ１０５にてアップボタン１２５３が押されたかどうかを判定し、押された場合はステップ１０６に進んで、Ｅ2 ＰＲＯＭ１２６に保存されている初期調光レベルを＋１０した後、ステップ１１１に進む。ステップ１０５にてアップボタン１２５３が押されていない場合は、ステップ１０７に進む。
【００４５】
ＣＰＵ１２１はステップ１０７にてダウンボタン１２５４が押されたかどうかを判定し、押された場合はステップ１０８に進んで、Ｅ2 ＰＲＯＭ１２６に保存されている初期調光レベルを−１した後、ステップ１１１に進む。ステップ１０７にてダウンボタン１２５４が押されていない場合は、ステップ１０９に進む。ＣＰＵ１２１はステップ１０９にてダウンボタン１２５５が押されたかどうかを判定し、押された場合はステップ１１０に進んで、Ｅ2 ＰＲＯＭ１２６に保存されている初期調光レベルを−１０した後、ステップ１１１に進む。ステップ１０９にてダウンボタン１２５５が押されていない場合は、ステップ１１１に進む。
【００４６】
ＣＰＵ１２１はステップ１１１に進んだ場合、この時点でＥ2 ＰＲＯＭ１２６に保存されている初期調光レベルを読み出して、表示操作部１２５の初期レベル表示部１２５１に表示する。その後、ＣＰＵ１２１はステップ１１２にて表示操作部１２５のセットボタン１２５６が押されたかどうかを判定し、押された場合はステップ１１３に進んで、現在Ｅ2 ＰＲＯＭ１２６に保存されている調光レベルを、確定した初期調光レベルとして認識した後、ステップ１１４に進む。ＣＰＵ１２１はステップ１１４にてＥ2 ＰＲＯＭ１２６に保存されている初期調光レベルに基づいて調光制御信号を作成し、この調光制御信号を調光信号出力インタフェース１２７から図示されない調光制御部に出力して処理を終了する。
【００４７】
一方、ＣＰＵ１２１はステップ１１２にて前記セットボタン１２５６が押されなかった場合、ステップ１０１に戻る。ＣＰＵ１２１は上記したアップボタン１２２２、１２２３、ダウンボタン１２２４、１２２５を押される度に、上記したステップ１０１〜１１２の処理を繰り返し行って、Ｅ2 ＰＲＯＭ１２６の初期調光レベルを書き替え、ステップ１１２にて前記セットボタン１２５６が押さると、初期調光レベルが確定され、管理者による初期調光レベルの設定が終了する。
【００４８】
管理者は初期調光レベルの設定が終了すると、モードボタン１２５７を押す。これにより、ＣＰＵ１２１はステップ１１５に進んで、表示操作部１２５のＬＥＤ１２５８を消灯して、通常のランプの汚れによる見掛け上の照度低下を防止する制御に戻り、ステップ１１６、１１７、１１８を実行する。この際、本例では、Ｅ2 ＰＲＯＭ１２６に設定された初期調光レベルに対応した照度を前記ランプがその汚れにも拘らず見掛上一定に保つような制御が行われる。
【００４９】
本実施の形態によれば、ランプを交換した直後に通常のランプの汚れによる見掛け上の照度低下を防止する制御を開始するが、この開始時点におけるランプの初期照度を管理者により任意の値に設定することができる。このため、ランプの初期照度を状況に応じて設定ですることができ、装置の使い勝手を向上させることができる。尚、上記した初期調光レベルの設定はランプの系統毎にも行え、その際には表示部１２５１に設定対象系統が表示される。
【実施例４】
【００５０】
図１１は本発明の第４の実施の形態を示したブロック図である。本例は照明制御装置の調光信号制御部の一部が第１の実施の形態と異なるだけであるため、調光信号制御部のみを図示してある。図において、１２５は表示操作部を示し、特にランプの汚れに応じてその照度を上昇するための管理者により設定された補正値を表示するための補正値表示部１２５１、前記補正値をアップするためのアップボタン１２５２、前記補正値をダウンするためのダウンボタン１２５３、設定した補正値を装置にセットするためのセットボタン１２５４、補正値修正モードと通常モードを切り替えるためのモード切替スイッチ１２５５及び補正値修正モードを表示するＬＥＤ１２５６を有している。尚、上記した補正値表示部１２５１には補正値を修正しているランプの系統を示す系統表示部も付加されている。他のハード的構成は図２に示した第１の実施の形態と同様であるため、説明は省略する。又、補正値設定手段は図１１に示したＲＯＭ１２３内に格納されているプログラムで構成されている。
【００５１】
次に本実施の形態の動作について図１２のフローチャートを参照して説明する。本例では、制御対象のランプの汚れに応じてその見掛上の照度を初期照度レベルに保持する制御を行う際に、前記ランプを新品に交換してから所定時間経つごとに前記ランプの照度を上昇させるが、このランプの照度を上昇させる補正値を管理者が任意の値に設定して、前記ランプの照度の上昇度合いを状況に応じて変更することができる。
【００５２】
この場合、管理者は表示操作部１２５のモード切替ボタン１２５５を押して、ＣＰＵ１２１を補正値設定モードにする。これにより、ＣＰＵ１２１はステップ１２１にてモードが補正値設定モードに切り替わったと判定すると、ステップ１２２に進んで、表示操作部１２５のＬＥＤ１２５６を点灯した後、ステップ１２３へ進む。管理者は上記したモード切替ボタン１２５５を押して補正値設定モードにすると、アップボタン１２５２、ダウンボタン１２５３を押して前記補正値を修正して任意の値を設定する操作を行う。
【００５３】
ＣＰＵ１２１はこのような管理者の操作を受けて、ステップ１２３にてアップボタン１２５２が押されたかどうかを判定し、押された場合はステップ１２４に進んで、Ｅ2 ＰＲＯＭ１２６に保存されている照度補正テーブルの補正値を＋１した後、ステップ１２７に進む。ステップ１２３にてアップボタン１２５２が押されていない場合は、ステップ１２５に進む。ＣＰＵ１２１はステップ１２５にてダウンボタン１２５３が押されたかどうかを判定し、押された場合はステップ１２６に進んで、Ｅ2 ＰＲＯＭ１２６に保存されている照度補正テーブル内の補正値を−１した後、ステップ１２７に進む。ステップ１２５にてダウンボタン１２５３が押されていない場合は、ステップ１２７に進む。
【００５４】
ＣＰＵ１２１はステップ１２７に進んだ場合、この時点でＥ2 ＰＲＯＭ１２６に保存されている照度補正テーブル内の補正値を読み出して、表示操作部１２５の補正値表示部１２５１に表示する。その後、ＣＰＵ１２１はステップ１２８にて表示操作部１２５のセットボタン１２５４が押されたかどうかを判定し、押された場合はステップ１２９に進んで、現在Ｅ2 ＰＲＯＭ１２６に保存されている照度補正テーブルの補正値を確定した値と認識した後、ステップ１３０に進む。ＣＰＵ１２１はステップ１３０にて、Ｅ2 ＰＲＯＭ１２６に保存されている照度補正テーブルに基づいて調光制御信号を作成し、この調光制御信号を調光信号出力インタフェース１２７から図示されない調光制御部に出力して処理を終了する。
【００５５】
一方、ＣＰＵ１２１はステップ１２８にて前記セットボタン１２５４が押されなかった場合、ステップ１２１に戻る。ＣＰＵ１２１は上記したアップボタン１２５２、ダウンボタン１２５３が押される度に、上記したステップ１２１〜１２８の処理を繰り返し行って、Ｅ2 ＰＲＯＭ１２６に保存されている照度補正テーブルの補正値を書き替え、ステップ１２８にて前記セットボタン１２５４が押されると、前記補正値が確定され、管理者による補正値の設定が終了する。
【００５６】
管理者は上記した照度補正テーブル内の設定が終了すると、モード切替ボタン１２５５を押す。これにより、ＣＰＵ１２１はステップ１３１に進んで、表示操作部１２５のＬＥＤ１２５６を消灯して、通常のランプの汚れによる見掛け上の照度低下を防止する制御に戻り、ステップ１３２、１３３、１３４を実行する。この際、本例では、Ｅ2 ＰＲＯＭ１２６に保存されている照度補正テーブル内の前記設定された補正値を用いて所定時間毎に図示されないランプの照度を上げて、前記ランプがその汚れにも拘らず見掛上一定に保つような制御を行う。
【００５７】
本実施の形態によれば、ランプの汚れに応じて所定時間毎にランプの照度を上昇させる補正値を管理者が任意の値に設定することができるため、ランプの汚れの進度に応じて、ランプの照度を上昇させる割合を設定することができ、ランプの使用場所に合わせて、ランプの汚れによる見掛上の照度の低下を防止するための最適な制御を行うことができる。尚、上記した補正値の設定はランプの系統毎にも行え、その際には表示部１２５１に設定対象系統が表示される。
【図面の簡単な説明】
【００５８】
【図１】本発明の照明制御装置を用いた本発明の照明装置の第１の実施の形態を示したブロック図。
【図２】図１に示した調光信号制御部の詳細構成例を示したブロック図。
【図３】図２に示したＣＰＵが所定時間経過毎にランプの照度を上げる特性を示した特性図。
【図４】図２に示したＲＯＭに格納されている照度補正テーブル例を示したブロック図。
【図５】図２に示したＣＰＵがランプを新品に交換してから経過した時間を計時する動作を示したフローチャート。
【図６】図２に示したＣＰＵによるランプの汚れによる見掛上の照度の低下を防止する制御を示したフローチャート。
【図７】本発明の第２の実施の形態を示したブロック図。
【図８】図７に示したＣＰＵの動作を示したフローチャート。
【図９】本発明の第３の実施の形態を示したブロック図。
【図１０】図９に示したＣＰＵの動作を示したフローチャート。
【図１１】本発明の第４の実施の形態を示したブロック図。
【図１２】図１０に示したＣＰＵの動作を示したフローチャート。
【符号の説明】
【００５９】
１…照明制御装置
２…電源
３ａ〜３ｃ…伝送線
４ａ〜４ｃ…点灯回路
５ａ〜５ｃ…ランプ
１１ａ〜１１ｃ…調光制御部
１２…調光信号制御部
１３…調光制御盤
１２１…ＣＰＵ
１２２…発振回路
１２３…ＲＯＭ
１２４…ＲＡＭ
１２５…表示操作部
１２６…Ｅ2 ＰＲＯＭ
１２７…調光信号出力インタフェース
【図１】
2005222960.tif 000003
【図２】
2005222960.tif 000004
【図３】
2005222960.tif 000005
【図４】
2005222960.tif 000006
【図５】
2005222960.tif 000007
【図６】
2005222960.tif 000008
【図７】
2005222960.tif 000009
【図８】
2005222960.tif 000010
【図９】
2005222960.tif 000011
【図１０】
2005222960.tif 000012
【図１１】
2005222960.tif 000013
【図１２】
2005222960.tif 000014